(57)【特許請求の範囲】
【請求項１】
下階の建物ユニットとその上部に載置された上階の建物ユニットとの内部に形成された吹抜空間内に階段が設けられたユニット建物の階段構造であって、
前記上階の建物ユニットは一対の長辺側の床大梁と一対の短辺側の床大梁とが略矩形状に組まれ、
前記長辺側の床大梁間に複数の床小梁が前記短辺側の床大梁の軸方向に架設されて床フレームが形成され、
前記吹抜空間が形成される部分では前記床小梁が省略されており、
前記上階の建物ユニットの前記長辺側の床大梁の内側面から第一フレーム材が前記短辺側の床大梁の軸方向に突出して設けられ、
前記上階の建物ユニットの前記短辺側の床大梁の内側面から第二フレーム材が前記長辺側の床大梁の軸方向に突出して設けられ、
前記第一フレーム材の先端部と前記第二フレーム材の先端部とが接合されて上階の建物ユニットの内隅部に踊り場の床フレームが形成され、
前記第一，第二フレームの一方の内側面と前記第一，第二フレームの一方と同方向に延びる床大梁の内側面との間に補強部材が設けられていると共に、
前記長辺側の床大梁の内側面と短辺側の床大梁の内側面が斜材で連結されていることを特徴とするユニット建物の階段構造。
【請求項２】
前記斜材は、前記補強部材と連結されていることを特徴とする請求項１に記載のユニット建物の階段構造。
【請求項３】
下階の建物ユニットとその上部に載置された上階の建物ユニットとの内部に形成された吹抜空間内に階段が設けられたユニット建物の階段構造であって、
前記上階の建物ユニットは、一対の長辺側の床大梁と一対の短辺側の床大梁とが略矩形状に組まれ、
前記長辺側の床大梁間に複数の床小梁が前記短辺側の床大梁の軸方向に架設されて床フレームが形成され、
前記吹抜空間が形成される部分では前記床小梁が省略されており、
前記上階の建物ユニットの前記長辺側の床大梁の内側面から第一フレーム材が前記短辺側の床大梁の軸方向に突出して設けられ、
前記上階の建物ユニットの前記短辺側の床大梁の内側面から第二フレーム材が前記長辺側の床大梁の軸方向に突出して設けられ、
前記第一フレーム材の先端部と前記第二フレーム材の先端部とが接合されて上階の建物ユニットの内隅部に踊り場の床フレームが形成されており、
前記長辺側の床大梁の内側面と短辺側の床大梁の内側面が斜材で連結されたユニット建物の階段構造であって、
補強部材が前記二フレームの内側面と前記斜材の側面に連結されていることを特徴とするユニット建物の階段構造。
【請求項４】
前記吹抜空間に面する位置の前記床小梁から立ち上げた支柱によって、腰壁パネルが支持され、落下防止用の腰壁が設けられていることを特徴とする請求項１乃至３のいずれか１項に記載のユニット建物の階段構造。
【請求項５】
前記支柱は、その内部にボルト孔の位置に合わせてナットがそれぞれ固定して設けられた取付部材を介して、前記吹抜空間に面する位置の前記床小梁の吹抜空間側の側面にボルト止めで固定されていることを特徴とする請求項４に記載のユニット建物の階段構造。
【請求項６】
請求項１乃至５のいずれか１項に記載のユニット建物の階段構造の踊り場の床フレームを備えることを特徴とする建物ユニット。
【請求項７】
請求項６に記載の建物ユニットを備えていることを特徴とするユニット建物。
【発明の詳細な説明】
【技術分野】
【０００１】
本発明は、積層された複数の建物ユニットに跨って階段配設用の吹抜空間が形成されたユニット建物において、階段の踊り場なる床を上階の建物ユニットの床フレームのコーナ部に張り出すように形成したユニット建物の階段構造、この階段構造に用いられる建物ユニット、及びこの建物ユニットを備えたユニット建物に関するものである。
【背景技術】
【０００２】
従来のユニット建物には、吹抜フレームが用いられた複数の建物ユニットを積層して、積層された複数の建物ユニットに跨って階段配設用の吹抜空間を形成したユニット建物において、階段の踊り場なる床を上階の建物ユニットの床フレームに張り出すように形成した吹抜空間内に階段用の張出床を設けた構成が知られている（例えば特許文献１，２参照）。
【先行技術文献】
【特許文献】
【０００３】
【特許文献１】特開平０５−１７９７１３号公報
【特許文献２】特開２００８−２９１４２５号公報
【発明の概要】
【発明が解決しようとする課題】
【０００４】
従来では、多くの場合、上記した特許文献１のようなユニット建物の階段構造のように、踊り場は、階段が設けられた上階の建物ユニットに隣り合う上階の建物ユニットの床を利用した構成とされている。
【０００５】
しかしながら、こうした構成では、階段からこの階段が設けられた上階の建物ユニット内の居室空間への直接の往来ができない。
【０００６】
これに対し、上記した特許文献２のようなユニット建物の階段構造では、上階の建物ユニット内に踊り場が、この上階の建物ユニットの床の高さ位置に突出して設けられている。
【０００７】
しかしながら、この踊り場は、この建物ユニットの内隅部に設置する場合のこの建物ユニットの内隅部の対角をなす点において、構造強度を確保することが困難となる。
【０００８】
それ故に、やはり、階段からこの階段が設けられた上階の建物ユニット内の居室空間への直接の往来ができない。
【０００９】
さらに、この踊り場の突出部を柱で支えて対応しようとしても、ユニット建物では、この上階の建物ユニットの運搬上の制限から、柱を構築するために、現場での複雑な後施工が必要となり、工期を短縮できるという利点を有するユニット建物のせっかくの特長を台無しにしてしまう。
【００１０】
ここで仮に、内隅部を形成する大梁よりフレーム材を突出させて、この踊り場を、この上階の建物ユニットの内隅部に形成しようとしても、フレーム材が設けられる床小梁がその軸方向を中心として捻れ回転してしまい十分な構造強度を確保することができない。
【００１１】
そこで、本発明は、十分な構造強度を有する階段の踊り場を上階の建物ユニットの内隅部に簡易に形成することができるユニット建物の階段構造、この階段構造に用いられる建物ユニット、及びこの建物ユニットを備えたユニット建物を提供することを目的としている。
【課題を解決するための手段】
【００１２】
前記目的を達成するために、この発明のユニット建物の階段構造、この階段構造に用いられる建物ユニット、及びこの建物ユニットを備えたユニット建物造では、下階の建物ユニットとその上部に載置された上階の建物ユニットとの内部に形成された吹抜空間内に階段が設けられている。また、前記上階の建物ユニットは一対の長辺側の床大梁と一対の短辺側の床大梁とが略矩形状に組まれ、前記長辺側の床大梁間に複数の床小梁が前記短辺側の床大梁の軸方向に架設されて床フレームが形成され、前記吹抜空間が形成される部分では前記床小梁が省略されており、前記上階の建物ユニットの前記長辺側の床大梁の内側面から第一フレーム材が前記短辺側の床大梁の軸方向に突出して設けられ、前記上階の建物ユニットの前記短辺側の床大梁の内側面から第二フレーム材が前記長辺側の床大梁の軸方向に突出して設けられ、前記第一フレーム材の先端部と前記第二フレーム材の先端部とが接合されて踊り場の床フレームが形成されている。
【００１３】
しかも、請求項１のユニット建物の階段構造では、前記第一，第二フレームの一方の内側面と前記第一，第二フレームの一方と同方向に延びる床大梁の内側面との間に補強部材が設けられ、前記長辺側の床大梁の内側面と短辺側の床大梁の内側面が斜材で連結されている。また、請求項３のユニット建物の階段構造では、補強部材が前記二フレームの内側面と前記斜材の側面に連結されている。
【発明の効果】
【００１４】
このような構成によれば、十分な構造強度を有する階段の踊り場を上階の建物ユニットの内隅部に簡易に形成することができる。しかも、上階の建物ユニットの内隅部に設けられた踊り場フレームに床大梁を中心とする下方への荷重が作用して、床大梁に軸回り方向に捻れ回転しようとしても、前記斜材が床大梁の軸回り方向への捻れ回転を防止するので、上階の建物ユニットの床大梁の十分な構造強度を確保できる。
【図面の簡単な説明】
【００１５】
【図１】ユニット建物Ｕの概略構成を示す説明図である。
【図２】図１のＡ１-Ａ１線に沿う断面である。
【図３】図２のＡ２−Ａ２線に沿う断面図である。
【図４】図２に示した床板を除いた２階の建物ユニットの床フレームの説明図である。
【図５】図４の踊り場フレームの拡大説明図である。
【図６】（ａ）は図４の長辺側の床大梁と床小梁との関係を示す拡大説明図、（ｂ）は（ａ）の左側面図である。
【図７】（ａ）は図４の長辺側の床大梁と第一フレーム及び補強用斜材との関係を示す拡大説明図、（ｂ）は（ａ）を矢印Ａ３方向から見た左側面図である。
【図８】（ａ）は図４の短辺側の床大梁と第二フレーム及び補強用斜材との関係を示す拡大説明図、（ｂ）は（ａ）を矢印Ａ４方向から見た説明図である。
【図９】（ａ）は図４の補強部材と長辺側の床大梁との関係を示す拡大説明図、（ｂ）は（ａ）を矢印Ａ５方向から見た左側面図である。
【図１０】図４の補強部材と補強用斜材との関係を示す説明図である。
【図１１】図２のＡ６−Ａ６線に沿う断面図である。
【図１２】図１１の左側面図である。
【図１３】図４の腰壁パネルの取付部の拡大説明図である。
【図１４】踊り場フレームの他の実施例を示す説明図である。
【発明を実施するための形態】
【００１６】
以下、本発明を実施するための形態を、図面に示す実施例１，２に基づいて説明する。
【実施例１】
【００１７】
図１は実施例１のユニット建物Ｕの概略構成を示し、図２は図１のＡ１-Ａ１線に沿う断面を示し、図３は図２のＡ２−Ａ２線に沿う断面図、図４は図２に示した床板を除いた２階の建物ユニットの床フレームの説明図である。
この図１においてユニット建物Ｕは、階段取付のための吹抜空間形成用の第１の建物ユニット組付体ＵＡと、この第１の建物ユニット組付体ＵＡに並設する第２の建物ユニット組付体ＵＢを備えている。
【００１８】
この第１の建物ユニット組付体ＵＡは、１階（下階）の建物ユニットＵａ１と、１階の建物ユニットＵａ１の上に組み付けた２階（上階）の建物ユニットＵａ２を備えている。また、第２の建物ユニット組付体ＵＢは、１階（下階）の建物ユニットＵｂ１と、１階の建物ユニットＵｂ１の上に組み付けた２階（上階）の建物ユニットＵｂ２を備えている。尚、建物ユニットＵａ１，Ｕｂ１は、基礎１上に並設して構築されている。
【００１９】
ここで、１階の建物ユニットＵａ１，Ｕｂ１と２階の建物ユニットＵａ２，Ｕｂ２は、それぞれ短辺側の長さが略２５００ｍｍで且つ長辺側の長さが略５４００ｍｍの建物ユニットである。
[第１の建物ユニット組付体ＵＡ]
（吹抜空間２）
また、第１の建物ユニット組付体ＵＡを構成する１階の建物ユニットＵａ１と２階の建物ユニットＵａ２の内部には、図1，図３に示したように建物ユニットＵａ１，Ｕａ２に跨って上下に延びる吹抜空間２が形成されている（図２参照）。
＜１階の建物ユニットＵａ１＞
ここで、１階の建物ユニットＵａ１についてはフレーム構造の図示を省略しているが、建物ユニットＵａ１のフレームは一対の平行な長辺側の溝型鋼製の天井大梁(図示せず)と一対の平行な短辺側の溝型鋼製の天井大梁(図示せず)とを備えている。この図示を省略した一対の長辺側の天井大梁と一対の短辺側の天井大梁は、略矩形状に組まれた状態で隣接する端部同士が溶接により剛接合されている。また、図示しない長辺側の天井大梁間には、短辺側の天井小梁と平行な角型鋼の天井小梁(図示せず)が長辺側の天井大梁(図示せず)の延びる方向に間隔をおいて複数配設されている。この天井小梁は、長辺側の天井大梁に図示しない取付片を介して溶接により剛接合されている。また、１階の建物ユニットＵａ１では、天井フレームを形成する角型鋼の天井小梁のうち、吹抜空間２に対応する位置の天井小梁が省略されている。
＜２階の建物ユニットＵａ２＞
また、図４に示した２階の建物ユニットＵａ２の床フレームＵｆ2は、矩形状の外枠３と、複数の床小梁４，・・・（図６参照）を備えている。この外枠３は、一対の長辺側の溝型鋼製の床大梁３Ａ，３Ａと、一対の短辺側の溝型鋼製の床大梁３Ｂ，３Ｂとを備えている。また、複数の床小梁４，・・・は、床大梁３Ｂと平行に且つ床大梁３Ａの延びる方向に間隔をおいて配設されている。
【００２０】
床大梁３Ａ，３Ａと床大梁３Ｂ，３Ｂは、矩形状に配設されていていると共に、隣接する端部同士が溶接により剛接合されて矩形状の外枠３を形成している。この外枠３は、４つのコーナ部（角部）Ｃ１〜Ｃ４を形成している。また、複数の床小梁４，・・・は端部が床大梁３Ａ，３Ａに取付片３１[図６（ａ），図６（ｂ）参照]を介して溶接により剛接合されている。これにより複数の床小梁４，・・・は、床大梁３Ｂと平行に床大梁３Ａ，３Ａに架設されている。しかも、床フレームを形成する床小梁４，・・・のうち、吹抜空間２に対応する位置の床小梁４が省略されている。
＜折り返し階段Ｋ＞
更に、吹抜空間２内には、図１，図２に示したように、１階の建物ユニットＵａ１の床ｆ１から２階の建物ユニットＵａ２まで延びる折り返し階段（階段構造）Ｋが設けられている。この折り返し階段Ｋは、図１〜図３に示したように、1階の建物ユニットＵａ１の中間踊り場ｋａと、吹抜空間２内に位置するコーナ部Ｃ１の踊り場ｋｂと、1階の建物ユニットＵａ１の床ｆ１から中間踊り場ｋａまで延びる階段部ｋ１と、中間踊り場ｋａから踊り場ｋｂ（図４，図５参照）まで延びる階段部ｋ２を有する。
（踊り場ｋｂ）
この踊り場ｋｂは、図２，図３に示したように踊り場フレーム（床フレーム）ｋｆと、踊り場フレームｋｆ上に取り付けられた踊り場パネルｋｐを有する。
【００２１】
踊り場フレームｋｆは、図４，図５に示したように、床大梁３Ａのコーナ部Ｃ１側の部分に溶接等により取り付けられた溝型鋼製の取付片３２[図７（ａ），図７（ｂ）参照]と、床大梁３Ｂのコーナ部Ｃ１側の部分に溶接等により取り付けられた溝型鋼製の取付片３３[図８（ａ），図８（ｂ）参照]と、取付片３２とコーナ部Ｃ１との間に位置させて床大梁３Ａに溶接等により取り付けられた溝型鋼製の取付片３４[図９（ａ），図９（ｂ）参照]を有する。
【００２２】
尚、取付片３１は、図６（ｂ）に示したように床大梁３Ａの上部フランジ上に溶接固定された幅狭の上部フランジ３１ａと、床大梁３Ａの下部フランジ上に溶接固定された幅広の下部フランジ３１ｂを有する。取付片３２は、図７（ｂ）に示したように床大梁３Ａの上部フランジ上に溶接固定された幅狭の上部フランジ３２ａと、床大梁３Ａの下部フランジ上に溶接固定された幅広の下部フランジ３２ｂを有する。取付片３３は、図８（ｂ）に示したように床大梁３Ｂの上部フランジ上に溶接固定された幅狭の上部フランジ３３ａと、床大梁３Ｂの下部フランジ上に溶接固定された幅広の下部フランジ３３ｂを有する。  取付片３４は、図９（ｂ）に示したように床大梁３Ａの上部フランジ上に溶接固定された幅狭の上部フランジ３４ａと、床大梁３Ａの下部フランジ上に溶接固定された幅広の下部フランジ３４ｂを有する。
【００２３】
また、踊り場フレームｋｆは、図4，図５に示したように、床大梁３Ａの内側面側から床大梁３Ｂの延びる方向（軸方向）と同方向に平行に延びる角型鋼製の第一フレーム材５と、床大梁３Ｂの内側面側から床大梁３Ａの延びる方向（軸方向）と同方向に平行に延びる角型鋼製の第二フレーム材６を有する。更に、踊り場フレームｋｆは、一対の分割補強部材７ａ，７ｂを備える補強部材７と、床大梁３Ａ，３Ｂに対して斜めに配設された角型鋼製の補強用斜材（斜材）８を有する。
【００２４】
補強部材７の分割補強部材７ａ，７ｂは、図１０に示したように鋼製で角筒型の部材が用いられていて、図４，図５に示すように床大梁３Ａと第二フレーム材６との間に直線状に配設されていると共に、床大梁３Ｂと平行に第一フレーム材５と床大梁３Ｂとの間に配設されている。そして、分割補強部材７ａは一端部が取付片３４に溶接固定され、分割補強部材７ｂは一端部が第二フレーム材６の長手方向の中間部内側面に溶接固定されている。しかも、この分割補強部材７ａ，７ｂの他端部間には補強用斜材８の中間部が配設されていて、補強用斜材８の互いに反対側の側面８ａ，８ｂには分割補強部材７ａ，７ｂの他端部がそれぞれ溶接固定されている。
【００２５】
更に、第一フレーム材５の一端部は取付片３２に溶接固定され、第二フレーム材６の一端部は取付片３３に溶接固定され、第一フレーム材５の他端部は第二フレーム材６の他端部内側面に溶接固定されている。また、補強用斜材（斜材）８は、両端部が取付片３２，３３にそれぞれ溶接固定されている。
【００２６】
このような第一フレーム材５、第二フレーム材６、補強部材７、補強用斜材（斜材）８が設けられた踊り場フレームｋｆ上に踊り場パネルｋｐを取り付けることにより、踊り場ｋｂが完成する。
【００２７】
この踊り場ｋｂを有する第１の建物ユニット組付体ＵＡの２階（上階）の建物ユニットＵａ２には、第２の建物ユニット組付体ＵＢの２階（上階）の建物ユニットＵｂ２が並設されている。そして、建物ユニットＵａ２には、踊り場ｋｂから建物ユニットＵｂ２内の居室Ｒ２に出入りするための入り口Ｏｐ１が設けられていると共に、建物ユニットＵａ２の居室Ｒ１に出入りするための入り口Ｏｐ２が設けられている（図２参照）。
【００２８】
この第一フレーム材５には、腰壁取付支柱５ａ，５ｂが長手方向両端部上に植立固定されている。この腰壁取付支柱５ａ，５ｂは、下端に図示を省略したベースプレートを溶接固定しておいて、このベースプレートをボルト等で第一フレーム材５に固定することにより第一フレーム材５に植立固定することができるが、第一フレーム材５上に溶接固定することにより第一フレーム材５に植立固定することもできる。そして、この腰壁取付支柱５ａ，５ｂには、腰壁パネル５ｃが図示しないボルト等で着脱可能に固定されている。
【００２９】
また、２階の建物ユニットＵａ２は、図３に示したように複数の床小梁４，・・・上に取り付けられた床下地材９１及び床仕上げ材９２から成る床面材（床パネル）９を有し、この床面材９の上に居室Ｒ１が設けられている。
【００３０】
また、図４に示した吹抜空間２側の床小梁４の長手方向中央（中間）部分には、図１１に示したように、吹抜空間２側の側面に位置させて側面形状をコ字状に形成した取付部材１０が溶接固定されている。この取付部材１０には、図１１，図１２に示したように上下に位置させたボルト孔１０ａ，１０ａが形成されている。この取付部材１０には、図１１に示したように床小梁４と取付部材１０との間に配設したナット１１，１１がボルト孔１０ａ，１０ａに合わせて溶接固定されている。
【００３１】
この取付部材１０の吹抜空間２側には図１１に示したように腰壁パネル取付用の上下に延びる支柱１２が配設されている。この支柱１２は、図１３に示したようにコ字状部１２ａとコ字状部１２ａの両開放縁部に設けられたフランジ部１２ｂ，１２ｂから平面形状がハット状に形成されている。そして、コ字状部１２ａの底部の下端部には、図１１，図１２に示したようにボルト孔１２ｃ，１２ｃが形成されている。
【００３２】
そして、支柱１２の下端部は、ボルト孔１２ｃ，１２ｃに挿通したボルト１３，１３を取付部材１０のボルト孔１０ａ，１０ａを介してナット１１，１１に螺着することにより、取付部材１０に固定されている。この支柱１２のフランジ部１２ｂ，１２ｂには、腰壁パネル１４Ａ，１４Ａがネジ１５，１５により固定されている（図２参照）。これによって腰壁パネル１４Ａ，１４Ａは、２階の建物ユニットＵａ２の床面材９上の居室を吹抜空間２に開放させて開放感が得られるように、腰壁１４を構成している。しかも、この腰壁１４は、床面材９上の居室Ｒ１から折り返し階段Ｋ側に落下防止するのを防止している。
【００３３】
また、支柱１２を設ける部分を除いた床小梁４の吹抜空間２側の側面には、図３に示したように、横桟材１６がスクリュー釘１７，・・・により固定されて設けられいる。しかも、床面材９は吹抜空間２側の床小梁４から吹抜空間２に突出する延長部分を有している。この床面材９の延長部分は、横桟材１６に支持されていると共に、腰壁パネル１４Ａの下面を支持している。
【００３４】
以上、図面を参照して、本発明を実施するための形態について実施例をもとに詳述してきたが、具体的な構成は、上記した実施例に限らず、本発明の要旨を逸脱しない程度の設計的変更は、本発明に含まれる。
【００３５】
例えば、上記実施例１，２では、ユニット建物Ｕを、説明が簡単なように、単純な２階建てとしたが、これに限定されず、より複雑な構成で実施してもよい。
【実施例２】
【００３６】
更に、上述した実施例では第二フレーム材６と長辺側の床大梁３Ａとを補強部材７により連結するように構成としたが、必ずしもこれに限定されるものではない。例えば、図１４に示したように、Ｌ字状の補強部材４０の両端部を第一，第二フレーム材５，６の内側面に溶接固定すると共に、Ｌ字状の補強部材４０の中間部の折曲部４０ａの外側面４０ｂを補強用斜材８の側面に溶接固定するようにしてもよい。
【００３７】
以上説明したように、この発明の実施の形態のユニット建物の階段構造は、下階の建物ユニットＵａ１とその上部に載置された上階の建物ユニットＵａ２との内部に形成された吹抜空間２内に階段が設けられている。また、前記上階の建物ユニットＵａ２は、一対の長辺側の床大梁３Ａと一対の短辺側の床大梁３Ｂとが略矩形状に組まれ、前記長辺側の床大梁３Ａ，３Ａ間に複数の床小梁４が前記短辺側の床大梁３Ｂの軸方向に架設されて床フレームＵｆ２が形成され、前記吹抜空間２が形成される部分では前記床小梁４が省略されている。更に、前記上階の建物ユニットＵａ２の前記長辺側の床大梁３Ａの内側面から第一フレーム材５が前記短辺側の床大梁３Ｂの軸方向に突出して設けられ、前記上階の建物ユニットＵａ２の前記短辺側の床大梁３Ｂの内側面から第二フレーム材６が前記長辺側の床大梁３Ａの軸方向に突出して設けられ、前記第一フレーム材５の先端部と前記第二フレーム材６の先端部とが接合されて上階の建物ユニットＵａ２の内隅部（コーナ部Ｃ１）に踊り場ｋｂの床フレーム（踊り場フレームｋｆ）が形成されている。
【００３８】
しかも、前記第一，第二フレーム５，６の一方の内側面と前記第一，第二フレーム５，６の一方と同方向に延びる床大梁（３Ａ，３Ｂの一方）の内側面との間に補強部材７が設けられていると共に、前記長辺側の床大梁３Ａの内側面と短辺側の床大梁３Ｂの内側面が斜材で連結されている。
【００３９】
このような構成によれば、十分な構造強度を有する階段の踊り場ｋｂを上階の建物ユニットＵａ２の内隅部（コーナ部Ｃ１）に簡易に形成することができる。しかも、上階の建物ユニットＵａ２の内隅部（コーナ部Ｃ１）に設けられた踊り場フレームｋｆに床大梁３Ａ，３Ｂを中心とする下方への荷重が作用して、床大梁３Ａ，３Ｂに軸回り方向に捻れ回転しようとしても、前記斜材（補強用斜材８）が床大梁３Ａ，３Ｂの軸回り方向への捻れ回転を防止するので、上階の建物ユニットＵａ２の床大梁３Ａ，３Ｂの十分な構造強度を確保できる。
【００４０】
また、この発明の実施の形態のユニット建物の階段構造において、前記斜材（補強用斜材８）は、前記補強部材７と連結されている。
【００４１】
この構成によれば、踊り場ｋｂの床フレーム（踊り場フレームｋｆ）の強度が更に向上する。
【００４２】
この発明の実施の形態のユニット建物の階段構造は、下階の建物ユニットＵａ１とその上部に載置された上階の建物ユニットＵａ２との内部に形成された吹抜空間２内に階段が設けられている。また、前記上階の建物ユニットＵａ２は、一対の長辺側の床大梁３Ａと一対の短辺側の床大梁３Ｂとが略矩形状に組まれ、前記長辺側の床大梁３Ａ，３Ａ間に複数の床小梁４が前記短辺側の床大梁３Ｂの軸方向に架設されて床フレームＵｆ２が形成され、前記吹抜空間２が形成される部分では前記床小梁４が省略されている。更に、前記上階の建物ユニットＵａ２の前記長辺側の床大梁３Ａの内側面から第一フレーム材５が前記短辺側の床大梁３Ｂの軸方向に突出して設けられ、前記上階の建物ユニットＵａ２の前記短辺側の床大梁３Ｂの内側面から第二フレーム材６が前記長辺側の床大梁３Ａの軸方向に突出して設けられ、前記第一フレーム材５の先端部と前記第二フレーム材６の先端部とが接合されて上階の建物ユニットＵａ２の内隅部（コーナ部Ｃ１）に踊り場ｋｂの床フレーム（踊り場フレームｋｆ）形成されている。また、前記長辺側の床大梁３Ａの内側面と短辺側の床大梁３Ｂの内側面が斜材（補強用斜材８）で連結されている。しかも、補強部材が前記二フレーム６の内側面と前記斜材（補強用斜材８）の側面に連結されている。
【００４３】
このような構成によれば、十分な構造強度を有する階段の踊り場ｋｂを上階の建物ユニットＵａ２の内隅部（コーナ部Ｃ１）に簡易に形成することができる。しかも、上階の建物ユニットＵａ２の内隅部（コーナ部Ｃ１）に設けられた踊り場フレームｋｆに床大梁３Ａ，３Ｂを中心とする下方への荷重が作用して、床大梁３Ａ，３Ｂに軸回り方向に捻れ回転しようとしても、前記斜材（補強用斜材８）が床大梁３Ａ，３Ｂの軸回り方向への捻れ回転を防止するので、上階の建物ユニットＵａ２の床大梁３Ａ，３Ｂの十分な構造強度を確保できる。
【００４４】
この構成によれば、補強部材７や斜材（補強用斜材８）の組付前の構造を簡単に形成することができる。
【００４５】
また、この発明の実施の形態のユニット建物の階段構造では、前記吹抜空間２に面する位置の前記床小梁４から立ち上げた支柱１２によって、腰壁パネル１４Ａが支持され、落下防止用の腰壁１４が設けられている。
【００４６】
この構成によれば、吹抜空間２に面する位置の床小梁４から立ち上げた支柱１２によって、腰壁パネル１４Ａが支持され、落下防止用の腰壁１４が設けられているので、腰壁１４により吹抜空間２側への落下を防止できる。
【００４７】
また、この発明の実施の形態のユニット建物の階段構造において、前記支柱１２は、その内部にボルト孔１０ａの位置に合わせてナット１１がそれぞれ固定して設けられた取付部材１０を介して、前記吹抜空間２に面する位置の前記床小梁４の吹抜空間２側の側面にボルト１３止めで固定されている。
【００４８】
この構成によれば、ボルト孔１０ａが設けられ且つこのボルト孔１０ａの位置に合わせて固定されたナット１１が設けられた取付部材１０を吹抜空間２に面する位置の床小梁４の吹抜空間２側の側面に固定しておくことで、支柱１２を取付部材１０のナット１１に容易にボルト固定することができるので、支柱１２を吹抜空間に面する位置の床小梁から容易に立ち上げた状態として設けることができる。
【００４９】
また、この発明の実施の形態の建物ユニットＵａ２は、ユニット建物Ｕの階段構造の踊り場ｋｂの床フレーム（踊り場フレームｋｆ）を備えている。また、この発明の実施の形態のユニット建物Ｕは、上述した建物ユニットＵａ２を備えている。この建物ユニットＵａ２及びユニット建物Ｕは、上述したユニット建物Ｕの階段構造の作用・効果を有する。
【符号の説明】
【００５０】
Ｕ      ユニット建物
ＵＡ    第１の建物ユニット組付体
ＵＢ    第２の建物ユニット組付体
Ｕ１ａ    １階の建物ユニット（下階の建物ユニット）
Ｕ１ｂ    １階の建物ユニット（下階の建物ユニット）
２      吹抜空間
３Ａ    長辺側の床大梁
３Ｂ    短辺側の床大梁
４      床小梁
５      第一フレーム材
６      第二フレーム材
７      補強部材
８      補強用斜材（斜材）
１０    取付部材
１０ａ  ボルト孔
１１    ナット
１２    支柱
１３    ボルト
１４    腰壁
１４Ａ  腰壁パネル
Ｋ      折り返し階段（階段）
ｋｂ    踊り場
ｋｆ    踊り場フレーム（踊り場の床フレーム）
【図１】
0005950621.tif 000002
【図２】
0005950621.tif 000003
【図３】
0005950621.tif 000004
【図４】
0005950621.tif 000005
【図５】
0005950621.tif 000006
【図６】
0005950621.tif 000007
【図７】
0005950621.tif 000008
【図８】
0005950621.tif 000009
【図９】
0005950621.tif 000010
【図１０】
0005950621.tif 000011
【図１１】
0005950621.tif 000012
【図１２】
0005950621.tif 000013
【図１３】
0005950621.tif 000014
【図１４】
0005950621.tif 000015